(57)【要約】【課題】受信したファクシミリ画像データの受信解像度が低い場合には、印刷画が判読できないような印刷を実行しないこと。【解決手段】受信したファクシミリ画像データを格納するデータ受信部２２と、受信したファクシミリ画像データの受信解像度ＳＴＤなどを記憶する解像度記憶部２３と、トレイ部に収容する印刷媒体の種類を記憶するトレイ設定部２４と、解像度記憶部２３に記憶する受信解像度とトレイ設定部２４に記憶する印刷媒体の種類との対応に基づいて、受信解像度が低いファクシミリ画像データは印刷品質の低い再生紙には印刷しないよう制御する。【選択図】    図２
2012199842.tif 000002
【特許請求の範囲】
【請求項１】
印刷品質の異なる複数種類の印刷媒体を収容可能とするトレイ部を備えたファクシミリ装置において、
受信したファクシミリ画像データを格納するデータ受信部と、
受信したファクシミリ画像データの受信解像度を記憶する解像度記憶部と、
前記トレイ部に収容する前記印刷媒体の種類を記憶するトレイ設定部と、
前記解像度記憶部に記憶する前記受信解像度と、前記トレイ設定部に記憶する前記印刷媒体の前記種類との対応に基づいて、前記受信解像度が低いファクシミリ画像データは前記印刷品質の低い前記印刷媒体には印刷しないよう制御を行う印刷制御部を備えたことを特徴とするファクシミリ装置。
【請求項２】
請求項１記載のファクシミリ装置において、
更に、前記解像度記憶部に記憶する前記受信解像度に対応した前記印刷媒体の前記種類が前記トレイ部に収容されていない場合に、印刷媒体を変更させる操作のガイドを表示するパネル部と、
変更された新たな印刷媒体に対して印刷を実行する印刷部を備えたことを特徴とするファクシミリ装置。
【請求項３】
請求項１又は２記載のファクシミリ装置において、
更に、データ受信部に格納したファクシミリ画像データについて、前記受信解像度を向上する解像度変更手段と、
前記解像度記憶部に記憶する前記受信解像度に対応した前記印刷媒体の前記種類が前記トレイ部に収容されていない場合に、前記解像度変更手段により前記ファクシミリ画像データの前記受信解像度を向上させる操作のガイドを表示するパネル部と、
前記解像度変更手段により前記受信解像度が向上した前記ファクシミリ画像データについて印刷を実行する印刷部を備えたことを特徴とするファクシミリ装置。
【請求項４】
請求項１乃至３いずれか一記載のファクシミリ装置において、
更に、データ受信部に格納したファクシミリ画像データについて、画像輪郭部の濃度勾配を急峻にするエッジ強調手段と、
前記解像度記憶部に記憶する前記受信解像度に対応した前記印刷媒体の前記種類が前記トレイ部に収容されていない場合に、前記エッジ強調手段により画像輪郭部の濃度勾配を急峻にする操作のガイドを表示するパネル部と、
前記エッジ強調手段により画像輪郭部の濃度勾配を急峻にした前記ファクシミリ画像データについて印刷を実行する印刷部を備えたことを特徴とするファクシミリ装置。
【請求項５】
前記受信解像度は、ＳＴＤ、ＦＩＮＥ又はＥＸ．ＦＩＮＥのいずれか一であることを特徴とする請求項１乃至４いずれか一記載のファクシミリ装置。
【請求項６】
前記低印刷品質の前記印刷媒体は再生紙であることを特徴とする請求項１乃至４いずれか一記載のファクシミリ装置。
【請求項７】
印刷品質の異なる複数種類の印刷媒体を収容可能とするトレイ部を備えた画像形成装置において、
受信した画像データを格納するデータ受信部と、
受信した画像データの受信解像度を記憶する解像度記憶部と、
前記トレイ部に収容する前記印刷媒体の種類を記憶するトレイ設定部と、
前記解像度記憶部に記憶する前記受信解像度と前記トレイ設定部に記憶する前記印刷媒体の前記種類との対応に基づいて、前記受信解像度が低い画像データは低印刷品質の前記印刷媒体には印刷しないよう制御を行う印刷制御部を備えたことを特徴とする画像形成装置。
【請求項８】
ファクシミリ画像データを受信する受信工程と、
受信したファクシミリ画像データの受信解像度を解像度記憶部で記憶する解像度記憶工程と、
トレイ部に収容する印刷媒体の印刷品質種類をトレイ設定部に記憶するトレイ設定工程と、
前記解像度記憶部に記憶する前記受信解像度と前記トレイ設定部に記憶する前記印刷媒体の印刷品質種類との対応に基づいて、前記受信解像度が低いファクシミリ画像データは低印刷品質の前記印刷媒体には印刷しないよう判定を行う印刷判定工程とを含むことを特徴とするファクシミリ装置の受信方法。
【請求項９】
印刷品質の異なる複数種類の印刷媒体を収容可能とするトレイ部を備えた画像形成装置において、
受信した画像データを格納するデータ受信部と、
受信した画像データの受信解像度を記憶する解像度記憶部と、
前記トレイ部に収容する前記印刷媒体の種類を設定するトレイ設定部と、
前記トレイ設定部に設定された前記印刷媒体の種類を判定する用紙種類判定部と、
前記解像度記憶部に記憶された前記受信解像度を判定する解像度判定部と、
前記解像度判定部で判定する前記受信解像度と前記用紙種類判定部で判定する前記印刷媒体の前記種類との対応に基づいて、前記受信解像度が低い画像データは低印刷品質の前記印刷媒体には印刷しないよう制御を行う印刷制御部を備えたことを特徴とするファクシミリ装置。
【発明の詳細な説明】
【技術分野】
【０００１】
本発明はファクシミリ装置に関するものである。
【背景技術】
【０００２】
従来、ファクシミリ装置の受信側において、送信側より送られたファクシミリ画像データを印刷記録するのに種々の用紙種類に印刷可能である。用紙種類としては普通紙、再生紙、特殊紙などであり、特殊紙にはＯＨＰ用紙、裏紙、色紙、厚紙、コート紙などがある。
【０００３】
なお、特開２００６−２０５５４９（特許文献１）には、収容されている紙種を適切に選択して印刷できるデジタル画像印刷システムが記載されている。特許文献１によれば、普通紙、再生紙、特殊紙などの用紙種類に優先順位を割り当てることで、紙種の指定がない印刷ジョブであっても任意の紙種から給紙を可能とする。
【先行技術文献】
【特許文献】
【０００４】
【特許文献１】特開２００６−２０５５４９号公報
【発明の概要】
【発明が解決しようとする課題】
【０００５】
しかしながら、従来のファクシミリ装置によれば、受信したファクシミリ画像データを再生紙のような印刷品質の低い印刷媒体で印刷するとき、受信したファクシミリ画像データの受信解像度が低い場合には、印刷画が判読できない場合があるという問題があった。これは再生紙のような印刷品質の低い印刷媒体は、表面が粗いため或いは印刷後がかすれてしまうためと思われる。特に、ファクシミリ送信する原稿が高精細であるとき、これを受信解像度の比較的低い標準モードで送信されると、受信側はこれを再生紙で印刷した場合は印刷画が判読できない場合がある。
【０００６】
本発明が解決しようとする課題は、受信したファクシミリ画像データを印刷する際、受信したファクシミリ画像データの受信解像度が低い場合には、印刷画が判読できないような印刷を実行しないことを可能とするものである。
【課題を解決するための手段】
【０００７】
上記課題を解決するために本発明に関するファクシミリ装置は、印刷品質の異なる複数種類の印刷媒体を収容可能とするトレイ部を備えたファクシミリ装置において、受信したファクシミリ画像データを格納するデータ受信部と、受信したファクシミリ画像データの受信解像度を記憶する解像度記憶部と、前記トレイ部に収容する前記印刷媒体の種類を記憶するトレイ設定部と、前記解像度記憶部に記憶する前記受信解像度と前記トレイ設定部に記憶する前記印刷媒体の前記種類との対応に基づいて、前記受信解像度が低いファクシミリ画像データは前記印刷品質の低い前記印刷媒体には印刷しないよう制御を行う印刷制御部を備えたことを特徴とするものである。
【発明の効果】
【０００８】
上記構成を有する本発明によれば、受信したファクシミリ画像データを印刷する際、受信したファクシミリ画像データの受信解像度が低いファクシミリ画像データの場合には、印刷画が判読できないような印刷を実行しないようにすることが可能となる。
【図面の簡単な説明】
【０００９】
【図１】本発明の第１の実施の形態に関するファクシミリ装置１００の構成図である。
【図２】第１の実施の形態に関するＣＰＵ１の構成図である。
【図３】第１の実施の形態に関する解像度記憶部２３の構成図である。
【図４】第１の実施の形態に関するトレイ設定部２４の構成図である。
【図５】第１の実施の形態に関する用紙選択の基準を示す説明図である。
【図６】第１の実施の形態に関する印刷制御部２７のパラメータ内容を示す説明図である。
【図７】第１の実施の形態のファクシミリ画像の印刷の動作を示すフローチャートである。
【図８】第１の実施の形態の印刷制御処理のフローチャートである。
【図９】第１の実施の形態の印刷制御処理のフローチャートである。
【図１０】第１の実施の形態に関する操作パネル７の印刷操作表示１を示す説明図である。
【図１１】第１の実施の形態に関する操作パネル７の印刷操作表示２を示す説明図である。
【図１２】第１の実施の形態に関するパネル操作処理のフローチャートである。
【図１３】第２の実施の形態に関するＣＰＵ１の構成図である。
【図１４】第２の実施の形態に関する印刷制御処理のフローチャートである。
【図１５】第２の実施の形態に関する操作パネル７の印刷操作表示３を示す説明図である。
【図１６】第２の実施の形態に関するパネル操作処理のフローチャートである。
【発明を実施するための形態】
【００１０】
（第１の実施の形態）
以下、本発明の第１の実施の形態について説明する。図１は本発明の第１の実施の形態に関するファクシミリ装置１００の構成図である。ファクシミリ装置１００のＣＰＵ１はハードウェアを制御するほか、後述するソフトウェアを実行する中央処理装置である。ＣＰＵ１はシステムバス２を介してファクシミリ装置１００内の各部と接続されている。
【００１１】
ＲＯＭ３はＣＰＵ１によって実行されるソフトウェアであるプログラムを予め記憶する記憶装置である。ＲＡＭ４はＣＰＵ１によるプログラムの実行時に発生する一時的な作業用データを記憶する揮発性の記憶装置である。読取装置５はＣＣＤなどを利用したスキャナ装置であり、原稿を読取り、ドットイメージデータに変換する。変換されたドットイメージデータは必要によりファクシミリ送信されるか、印刷媒体に画像形成される。
【００１２】
印刷装置６は感熱記録方式、電子写真方式などの画像形成方式によって印刷媒体に画像を形成する画像形成装置である。ただし、本実施の形態に関する印刷装置６は、後述するように、ＣＰＵ１の制御により受信解像度が低いファクシミリ画像データは印刷品質の低い印刷媒体には印刷しないよう制御される。
【００１３】
操作パネル７は、液晶表示装置（ＬＣＤ）又はＣＲＴディスプレイなどの表示装置によりファクシミリ装置１００の状態などを表示する表示機能を有する。更に操作パネル７はファクシミリ装置１００を操作するために必要なファンクションキー、テンキー、スタートキーなどの入力機能を備える。本実施の形態に関する操作パネル７では、図１１で示すようにオペレータのために印刷再開キー７５、印刷中止キー７６及び解像度変換印刷キー７７が表示される。受信解像度が低いファクシミリ画像データが印刷品質の低い印刷媒体に印刷しないように制御されるが、後述するようにオペレータが解像度変換印刷キー７７を押下することにより、ファクシミリ画像データの解像度が向上されて印刷することができる。
【００１４】
モデム８は変復調装置であり、ファクシミリ伝送制御手順による手順データや画像データを変復調し、相手先のファクシミリ装置間と画像データを授受する。ＮＣＵ９は網制御装置であり、モデムと公衆交換電話網との接続及び開放を制御する。回線１０は公衆電話網やローカル電話網などの交換回線網である。
【００１５】
トレイ１１は印刷媒体を収容可能したトレイであり、トレイ１及びトレイ２からなる。トレイ１１は印刷品質の異なる複数種類の印刷媒体が収容可能である。印刷品質の異なる複数種類の印刷媒体とは、普通紙、再生紙、特殊紙などであり、特殊紙にはＯＨＰ用紙、裏紙、色紙、厚紙、コート紙、光沢紙などがある。本実施の形態では普通紙及び再生紙について説明する。そして、普通紙は印刷品質の高い印刷媒体とし、再生紙は印刷品質の低い印刷媒体とする。
【００１６】
図２は第１の実施の形態に関するＣＰＵ１の構成図である。システム制御部２０はシステム内の各部を制御し、プログラムの起動や調停を行うものである。操作パネル制御部２１は操作パネル７に対しファクシミリ装置１００の状態などの表示を制御するとともに、オペレータのためにファクシミリ装置１００を操作するのに必要な各種キー入力を受付けることによりユーザインターフェースを実行するものである。本実施の形態に関する操作パネル制御部２１では、図１１で示すようにオペレータのために印刷再開キー７５、印刷中止キー７６及び解像度変換印刷キー７７が表示される。
【００１７】
データ受信部２２はモデム８やＮＣＵ９を制御し、公衆交換電話網と接続される。そして、データ受信部２２はファクシミリ伝送制御手順及び画像データの授受を実行するものである。更に、データ受信部２２は後述するように受信データからファクシミリ画像の受信解像度を解析し、ドキュメントＩＤを割り当て、ファクシミリ受信したドキュメントを格納する。
【００１８】
解像度記憶部２３はファクシミリ受信したドキュメントに対して、データ受信部２２が解析したファクシミリ画像の受信解像度ＳＴＤ（標準解像度）、ＦＩＮＥ（ファイン）又はＥＸ．ＦＩＮＥ（超ファイン）を格納する。詳細は後に図３において説明する。
【００１９】
トレイ設定部２４は、ファクシミリ画像の受信解像度ＳＴＤ、ＦＩＮＥ又はＥＸ．ＦＩＮＥと印刷媒体としての用紙の種類との対応について記憶する。即ち、後述するようにトレイ１及びトレイ２に収容される印刷媒体の種類を設定するとともに、トレイ１又はトレイ２に収容される印刷媒体への印刷の許可を設定するものである。詳細は後に図４において説明する。
【００２０】
許可トレイ判定部２５は、後述するようにトレイ設定部２４のトレイの設定値６３がＯＮであるか否か、即ち、トレイに収容される印刷媒体で印刷が許可されているか否かを判定する。用紙種類判定部２６は、後述するようにトレイ設定部２４の用紙種類の設定値６１が普通紙か再生紙かを判定する。
【００２１】
印刷制御部２７は印刷装置６を制御し、印刷に関する開始から終了までの一連の動作を実行制御するものである。特に、本実施の形態においては画像印刷するための印刷媒体としての用紙のサイズと、印刷媒体としての用紙を給紙するためのトレイ１又はトレイ２をパラメータとして格納する。詳細は後に図６において説明する。
【００２２】
解像度判定部２８は、解像度記憶部２３に格納されたドキュメントの受信解像度５２がＳＴＤ、ＦＩＮＥ又はＥＸ．ＦＩＮＥかどうか判定する。解像度変換部２９はデータ受信部２２で格納したドキュメントについて、解像度変換処理を行う。解像度変換処理はファクシミリ画像データの１ライン毎に、同じラインを追加することで受信解像度を向上させる。
【００２３】
図３は第１の実施の形態に関する解像度記憶部２３の構成図である。ドキュメントＩＤ５１はファクシミリ受信した画像データを管理する番号であり、受信したドキュメントごとにデータ受信部２２によって割り当てられ解像度記憶部２３に格納される。最大ジョブ数は２５０である。
【００２４】
受信解像度５２はファクシミリ受信したファクシミリ画像の受信解像度であり、解像度記憶部２３に格納される。ＳＴＤ（標準解像度）は８×３．８５ｌｉｎｅ／ｍｍ（２００×１００ｄｐｉ）、ＦＩＮＥ（ファイン）は８×７．７ｌｉｎｅ／ｍｍ（２００×２００ｄｐｉ）、ＥＸ．ＦＩＮＥ（超ファイン）は８×１５．４ｌｉｎｅ／ｍｍ（２００×４００ｄｐｉ）である。受信解像度５２はドキュメントＩＤに対応付けて格納される。同図では、ドキュメントＩＤ０１が受信解像度ＳＴＤであり、ドキュメントＩＤ０２が受信解像度ＦＩＮＥであり、ドキュメントＩＤ０３が受信解像度ＥＸ．ＦＩＮＥであることを示す。これらのデータはＲＡＭ４に格納される。ここで、本実施の形態においては、後述するように、受信したファクシミリ画像の受信解像度がＳＴＤ及びＦＩＮＥの場合、再生紙、即ち印刷品質の低い印刷媒体で印刷しないよう制御される。
【００２５】
図４は第１の実施の形態に関するトレイ設定部２４の構成図である。トレイ設定部２４は、ファクシミリ画像の受信解像度ＳＴＤ、ＦＩＮＥ又はＥＸ．ＦＩＮＥと印刷媒体としての用紙の種類との対応について記憶する。即ち、トレイ１及びトレイ２に収容される印刷媒体の種類を設定するとともに、トレイ１又はトレイ２に収容される印刷媒体への印刷の許可を設定する。即ち、トレイ設定部２４の設定項目は、トレイ１又はトレイ２に収容される「用紙種類」の設定、トレイ１又はトレイ２に収容される印刷媒体への印刷の許可を示す「印刷許可トレイ」の設定及びトレイ１又はトレイ２に収容される印刷媒体が再生紙である場合のファクシミリ画像の受信解像度別の印刷の許可を示す「解像度別許可トレイ（再生紙）」の設定である。
【００２６】
用紙種類欄５３のトレイ１欄は、トレイ１に収容される印刷媒体としての用紙の種類が再生紙か普通紙かの設定値６１を格納する。ここでは設定値６１として「再生紙」を格納する。同じく用紙種類欄５３のトレイ２欄は、トレイ２に収容される印刷媒体としての用紙の種類が再生紙か普通紙かの設定値６２を格納する。ここでは同じく設定値６２としてトレイ１と同様に「再生紙」を格納する。
【００２７】
印刷許可トレイ欄５４のトレイ１欄は、トレイ１に収容される印刷媒体で印刷するか、しないかの設定値６３（ＯＮ又はＯＦＦ）を格納する。設定値６３がＯＮであればトレイ１の印刷媒体の印刷を許可する。設定値６３がＯＦＦであれば、トレイ１の印刷媒体の印刷を許可しない。
【００２８】
印刷許可トレイ欄５４のトレイ２欄は、同様にトレイ２の印刷媒体で印刷するか、しないかの設定値６４（ＯＮ又はＯＦＦ）を格納する。設定値６４がＯＮであれば、トレイ２の印刷媒体の印刷を許可する。設定値６４がＯＦＦであれば、トレイ２の印刷媒体の印刷を許可しない。なお、印刷許可トレイ欄５４のトレイ１欄（※）の設定値６３とトレイ２欄（※）の設定値６４がともにＯＦＦになることはない。
【００２９】
解像度別許可トレイ（再生紙）欄５５のトレイ１−ＳＴＤ欄は、受信したファクシミリ画像の受信解像度がＳＴＤの場合に、トレイ１の印刷媒体（この場合は再生紙）で印刷をするか、しないかの設定値６５（ＯＮ又はＯＦＦ）を格納する。設定値６５がＯＮであれば、トレイ１の印刷媒体の印刷を許可する。設定値６５がＯＦＦであれば、トレイ１の印刷媒体の印刷を許可しない。ここでは設定値６５がＯＦＦに設定されているので、受信解像度の低いＳＴＤの場合、トレイ１の印刷品質の低い再生紙では印刷されないように設定されていることを意味する。
【００３０】
解像度別許可トレイ（再生紙）欄５５のトレイ１−ＦＩＮＥ欄は、受信したファクシミリ画像の受信解像度がＦＩＮＥの場合に、トレイ１の印刷媒体（この場合は再生紙）で印刷をするか、しないかの設定値６６（ＯＮ又はＯＦＦ）を格納する。設定値６６がＯＮであれば、トレイ１の印刷媒体の印刷を許可する。設定値６６がＯＦＦであれば、トレイ１の印刷媒体の印刷を許可しない。ここでは設定値６６がＯＦＦに設定されているので、受信解像度の低いＦＩＮＥの場合、印刷品質の低いトレイ１の再生紙では印刷されないように設定されていることを意味する。
【００３１】
解像度別許可トレイ（再生紙）欄５５のトレイ１−ＥＸ．ＦＩＮＥ欄は、受信したファクシミリ画像の受信解像度がＥＸ．ＦＩＮＥの場合に、トレイ１の印刷媒体（この場合は再生紙）で印刷をするか、しないかの設定値６７（ＯＮ又はＯＦＦ）を格納する。設定値６７がＯＮであれば、トレイ１の印刷媒体の印刷を許可する。設定値６７がＯＦＦであれば、トレイ１の印刷媒体の印刷を許可しない。ここでは設定値６７がＯＮに設定されているので、受信解像度の高いＥＸ．ＦＩＮＥの場合、トレイ１の印刷品質の低い再生紙に印刷されるよう設定されていることを意味する。
【００３２】
解像度別許可トレイ（再生紙）欄５５のトレイ２−ＳＴＤ欄は、受信したファクシミリ画像の受信解像度がＳＴＤの場合に、トレイ２の印刷媒体（この場合は再生紙）で印刷をするか、しないかの設定値６８（ＯＮ又はＯＦＦ）を格納する。設定値６８がＯＮであれば、トレイ２の印刷媒体の印刷を許可する。設定値６８がＯＦＦであれば、トレイ２の印刷媒体の印刷を許可しない。ここでは設定値６８がＯＦＦに設定されているので、受信解像度の低いＳＴＤの場合、トレイ２の印刷品質の低い再生紙では印刷されないように設定されていることを意味する。
【００３３】
解像度別許可トレイ（再生紙）欄５５のトレイ２−ＦＩＮＥ欄は、受信したファクシミリ画像の受信解像度がＦＩＮＥの場合に、トレイ２の印刷媒体（この場合は再生紙）で印刷をするか、しないかの設定値６９（ＯＮ又はＯＦＦ）を格納する。設定値６９がＯＮであれば、トレイ２の印刷媒体の印刷を許可する。設定値６９がＯＦＦであれば、トレイ２の印刷媒体の印刷を許可しない。ここでは設定値６９がＯＦＦに設定されているので、受信解像度の低いＦＩＮＥの場合、トレイ２の印刷品質の低い再生紙では印刷されないように設定されていることを意味する。
【００３４】
解像度別許可トレイ（再生紙）欄５５のトレイ２−ＥＸ．ＦＩＮＥ欄は、受信したファクシミリ画像の受信解像度がＥＸ．ＦＩＮＥの場合に、トレイ２の印刷媒体（この場合は再生紙）で印刷をするか、しないかの設定値７０（ＯＮ又はＯＦＦ）を格納する。設定値７０がＯＮであれば、トレイ２の印刷媒体の印刷を許可する。設定値７０がＯＦＦであれば、トレイ２の印刷媒体の印刷を許可しない。ここでは設定値７０がＯＮに設定されているので、受信解像度の高いＥＸ．ＦＩＮＥの場合、トレイ２の印刷品質の低い再生紙に印刷されるよう設定されていることを意味する。
【００３５】
よって、ここでは受信解像度がＥＸ．ＦＩＮＥの場合のみ再生紙への印刷が許可されることになる。そして、これらの設定値はＲＡＭ４に格納される。
【００３６】
図５は第１の実施の形態に関する用紙選択の基準を示す説明図である。同図は図４で説明した印刷の許可について、解像度別に用紙種類ごとに印刷の許可についてまとめたものである。解像度欄８１は受信したファクシミリ画像の受信解像度ＳＴＤ、ＦＩＮＥ又はＥＸ．ＦＩＮＥである。用紙種類欄８４の普通紙欄８２は、用紙種類が普通紙の場合、受信解像度の如何にかかわらず普通紙に印刷することを示す。用紙種類欄８４の再生紙欄８３は、用紙種類が再生紙の場合、図４に示すトレイ設定部２４の解像度別許可トレイ（再生紙）欄５５の設定値６５〜７０に従って、即ち該当する設定値６５〜７０がＯＮであれば印刷を行うことを示す。前述のように、受信解像度がＥＸ．ＦＩＮＥの場合のみ再生紙への印刷が許可される。
【００３７】
図６は第１の実施の形態に関する印刷制御部２７のパラメータ内容を示す説明図である。印刷制御部２７は印刷装置６を制御するに際し、印刷媒体のサイズと印刷媒体を給紙するためのトレイ１又はトレイ２を指定する。用紙サイズパラメータ欄７１には、画像印刷するための印刷媒体としての用紙のサイズ（ここではＡ４とする）を収容する。給紙トレイパラメータ７２には、印刷媒体を給紙するためのトレイ１又はトレイ２（ここではトレイ１とする）を収容する。
【００３８】
次に、第１の実施の形態のファクシミリ画像の印刷の動作について説明する。図７は第１の実施の形態のファクシミリ画像の印刷の動作を示すフローチャートである。
Ｓ１０１：ファクシミリ装置１００のＣＰＵ１のシステム制御部２０は、データ受信部２２に対し、ファクシミリ伝送制御手順を実行し、画像データを受信するよう指示する。
Ｓ１０２：システム制御部２０はデータ受信部２２に対し、受信した画像データにドキュメントＩＤ５１を割り当てるよう指示する。
【００３９】
Ｓ１０３：システム制御部２０は解像度記憶部２３に対し、受信したファクシミリ画像の受信解像度５２とドキュメントＩＤ５１を対応付けて格納するよう指示する。
Ｓ１０４：そして、システム制御部２０は次に説明する印刷制御処理を行う。
【００４０】
図８、図９は第１の実施の形態の印刷制御処理のフローチャートである。
Ｓ２０１：システム制御部２０は許可トレイ判定部２５に対し、トレイ設定部２４の印刷許可トレイ欄５４のトレイ１欄の設定値６３（図４）がＯＮであるか否か、即ち、トレイ１に収容される印刷媒体で印刷が許可されているか否かを判定するよう指示する。トレイ１欄の設定値６３がＯＮであれば、ステップ２０２へ進み、ＯＦＦであればステップ２０５へ進む。
【００４１】
Ｓ２０２：トレイ１欄の設定値６３がＯＮであるとき、システム制御部２０は用紙種類判定部２６に対し、トレイ設定部２４の用紙種類欄５３のトレイ１欄の設定値６１が普通紙か判定するよう指示する。トレイ１欄の設定値６１が普通紙であればステップ２０３へ進み、普通紙でなければステップ２０４へ進む。
【００４２】
Ｓ２０３：トレイ１欄の設定値６１が普通紙であれば、システム制御部２０は印刷制御部２７に対し、給紙トレイパラメータ７２（図６）にトレイ１をセットするよう指示する。
【００４３】
Ｓ２０４：ステップ２０２において、トレイ１欄の設定値６１が普通紙でなければ、システム制御部２０は用紙種類判定部２６に対し、トレイ設定部２４の用紙種類欄５３のトレイ１欄の設定値６１が再生紙か判定するよう指示する。トレイ１欄の設定値６１が再生紙であれば、ステップ２１１（図９のＡ）へ移行する。トレイ１の設定値６１が再生紙でなければ、ステップ２０５へ進む。
【００４４】
Ｓ２０５：ステップ２０１でトレイ設定部２４の印刷許可トレイ欄５４のトレイ１欄の設定値６３がＯＦＦであれば（トレイ１欄（※）の設定値６３とトレイ２欄（※）の設定値６４がともにＯＦＦになることはないので、トレイ２欄の設定値６４がＯＮである）又はステップ２０４でトレイ１欄の設定値６１が再生紙でなければ、システム制御部２０は用紙種類判定部２６に対し、トレイ設定部２４の用紙種類欄５３のトレイ２の設定値６２が普通紙か判定するよう指示する。トレイ２欄の設定値６２が普通紙であればステップ２０６へ進み、普通紙でなければステップ２０９へ進む。
【００４５】
Ｓ２０６：トレイ２欄の設定値６２が普通紙であれば、システム制御部２０は印刷制御部２７に対し、給紙トレイパラメータ７２（図６）にトレイ２をセットするよう指示する。
Ｓ２０７：システム制御部２０は印刷制御部２７に対し、用紙サイズパラメータ７１（図６）にＡ４をセットするよう指示する。
【００４６】
Ｓ２０８：システム制御部２０は印刷制御部２７に対し、印刷装置６を制御して印刷処理を実行するよう指示する。
Ｓ２０９：ステップ２０５においてトレイ設定部２４の用紙種類欄５３のトレイ２欄の設定値６２が普通紙でなければ、システム制御部２０は用紙種類判定部２６に対し、用紙種類欄５３のトレイ２欄の設定値６２が再生紙か判定するよう指示する。トレイ２欄の設定値６２が再生紙であればステップ２１１（図９のＡ）へ移行する。トレイ２欄の設定値６２が再生紙でなければ、ステップ２１０へ進む。
【００４７】
Ｓ２１０：ステップ２０９において用紙種類欄５３のトレイ２欄の設定値６２が再生紙でなければ、結局、トレイ１及びトレイ２に普通紙でも再生紙でもない、異なる印刷媒体が入っていることになり、システム制御部２０は操作パネル制御部２１に対し、操作パネル７へ印刷操作表示１（図１０）を表示するよう指示する。
【００４８】
図１０は第１の実施の形態に関する操作パネル７の印刷操作表示１を示す説明図である。印刷操作表示１は、「トレイ１の用紙が違います」と表示してオペレータに注意を促す。更に、操作パネル７には、「トレイ１に用紙（Ａ４普通紙）をセットしてください」及び「取り消す場合は印刷中止を押してください」と表示される。更にまた、印刷再開キー及び印刷中止キーが表示される。
【００４９】
このように表示することにより、オペレータはトレイ１にＡ４普通紙をセットすることができる。解像度記憶部２３に記憶する受信解像度５２に対応した印刷媒体の種類がトレイ部１１に収容されていない場合に、操作パネル７に印刷媒体を変更させる操作のガイドを表示するようにしたので、受信したファクシミリ画像データが全く印刷されないという事態を防ぐことができる。
【００５０】
Ｓ２１１（図９のＡより）：ステップ２０４におけるトレイ１欄の設定値６１が再生紙であるか又はステップ２０９におけるトレイ２欄の設定値６２が再生紙であれば、システム制御部２０は解像度判定部２８に対し、解像度記憶部２３の該当ドキュメントＩＤ５１の受信解像度５２がＳＴＤ（標準解像度）かどうか判定するよう指示する。受信解像度５２がＳＴＤであれば（例えばドキュメントＩＤ０１）、ステップ２１２へ進み、受信解像度５２がＳＴＤでなければ（例えばドキュメントＩＤ０２、０３）、ステップ２１６へ移行する。
【００５１】
Ｓ２１２：受信解像度５２がＳＴＤであれば、システム制御部２０は許可トレイ判定部２５に対し、トレイ設定部２４の解像度別許可トレイ（再生紙）欄５５のトレイ１−ＳＴＤ欄の設定値６５がＯＮかどうか判定するよう指示する。トレイ１−ＳＴＤ欄の設定値６５がＯＮであれば、ステップ２１３へ進み、トレイ１−ＳＴＤ欄の設定値６５がＯＦＦであれば、ステップ２１４へ進む。
【００５２】
Ｓ２１３：トレイ１−ＳＴＤ欄の設定値６５がＯＮであれば、システム制御部２０は印刷制御部２７に対し、給紙トレイパラメータ７２にトレイ１をセットするよう指示する。その後ステップ２０７（図８のＢ）へ移行して、用紙サイズパラメータ７１にＡ４をセットするよう指示し、ステップ２０８で印刷処理を実行するよう指示する。
【００５３】
Ｓ２１４：ステップ２１２においてトレイ１−ＳＴＤ欄の設定値６５がＯＮでなければ、システム制御部２０は許可トレイ判定部２５に対し、トレイ設定部２４の解像度別許可トレイ（再生紙）欄５５のトレイ２−ＳＴＤ欄の設定値６８がＯＮかどうか判定するよう指示する。トレイ２−ＳＴＤ欄の設定値６８がＯＮであれば、ステップ２１５へ進み、トレイ２−ＳＴＤ欄の設定値６８がＯＮでなければ、ステップ２１６へ進む。
【００５４】
Ｓ２１５：トレイ２−ＳＴＤ欄の設定値６８がＯＮであれば、システム制御部２０は印刷制御部２７に対し、給紙トレイパラメータ７２にトレイ２をセットするよう指示する。その後ステップ２０７（図８のＢ）へ移行して、用紙サイズパラメータ７１にＡ４をセットするよう指示し、ステップ２０８で印刷処理を実行するよう指示する。
【００５５】
Ｓ２１６：ステップ２１１において受信解像度５２がＳＴＤでないとき（例えばドキュメントＩＤ０２、０３）、又はステップ２１４においてトレイ２−ＳＴＤ欄の設定値６８がＯＮでないとき（例えばドキュメントＩＤ０１）、システム制御部２０は解像度判定部２８に対し、解像度記憶部２３の該当ドキュメントＩＤ５１の受信解像度５２がＦＩＮＥ（ファイン）かどうか判定するよう指示する。受信解像度５２がＦＩＮＥであれば（例えばドキュメントＩＤ０２）、ステップ２１７へ進み、受信解像度５２がＦＩＮＥでなければ（例えばドキュメントＩＤ０１、０３）、ステップ２２１へ移行する。
【００５６】
Ｓ２１７：受信解像度５２がＦＩＮＥであれば、システム制御部２０は許可トレイ判定部２５に対し、トレイ設定部２４の解像度別許可トレイ（再生紙）欄５５のトレイ１−ＦＩＮＥ欄の設定値６６がＯＮかどうか判定するよう指示する。トレイ１−ＦＩＮＥ欄の設定値６６がＯＮであれば、ステップ２１８へ進み、トレイ１−ＦＩＮＥ欄の設定値６６がＯＮでなければ、ステップ２１９へ進む。
【００５７】
Ｓ２１８：トレイ１−ＦＩＮＥ欄の設定値６６がＯＮであれば、システム制御部２０は印刷制御部２７に対し、給紙トレイパラメータ７２にトレイ１をセットするよう指示する。その後ステップ２０７（図８のＢ）へ移行して、用紙サイズパラメータ７１にＡ４をセットするよう指示し、ステップ２０８で印刷処理を実行するよう指示する。
【００５８】
Ｓ２１９：ステップ２１７においてトレイ１−ＦＩＮＥ欄の設定値６６がＯＮでなければ、システム制御部２０は許可トレイ判定部２５に対し、トレイ設定部２４の解像度別許可トレイ（再生紙）欄５５のトレイ２−ＦＩＮＥ欄の設定値６９がＯＮかどうか判定するよう指示する。トレイ２−ＦＩＮＥ欄の設定値６９がＯＮであれば、ステップ２２０へ進み、トレイ２−ＦＩＮＥ欄の設定値６９がＯＮでなければ、ステップ２２１へ進む。
【００５９】
Ｓ２２０：トレイ２−ＦＩＮＥ欄の設定値６９がＯＮであれば、システム制御部２０は印刷制御部２７に対し、給紙トレイパラメータ７２にトレイ２をセットするよう指示する。その後ステップ２０７（図８のＢ）へ移行して、用紙サイズパラメータ７１にＡ４をセットするよう指示し、ステップ２０８で印刷処理を実行するよう指示する。
【００６０】
Ｓ２２１：ステップ２１６において受信解像度５２がＦＩＮＥでないとき（例えばドキュメントＩＤ０１、０３）、又はステップ２１９においてトレイ２−ＦＩＮＥ欄の設定値６９がＯＮでないとき（例えばドキュメントＩＤ０２）、システム制御部２０は解像度判定部２８に対し、解像度記憶部２３の該当ドキュメントＩＤ５１の受信解像度５２がＥＸ．ＦＩＮＥ（超ファイン）か判定するよう指示する。受信解像度５２がＥＸ．ＦＩＮＥであれば（例えばドキュメントＩＤ０３）、ステップ２２２へ進み、受信解像度５２がＥＸ．ＦＩＮＥでなければ（例えばドキュメントＩＤ０１、０２）、ステップ２２６へ移行する。
【００６１】
Ｓ２２２：受信解像度５２がＥＸ．ＦＩＮＥであれば、システム制御部２０は許可トレイ判定部２５に対し、トレイ設定部２４の解像度別許可トレイ（再生紙）欄５５のトレイ１−ＥＸ．ＦＩＮＥ欄の設定値６７がＯＮかどうか判定するよう指示する。トレイ１−ＥＸ．ＦＩＮＥ欄の設定値６７がＯＮであれば、ステップ２２３へ進み、トレイ１−ＥＸ．ＦＩＮＥ欄の設定値６７がＯＮでなければ、ステップ２２４へ進む。
【００６２】
Ｓ２２３：トレイ１−ＥＸ．ＦＩＮＥ欄の設定値６７がＯＮであれば（例えばドキュメントＩＤ０３）、システム制御部２０は印刷制御部２７に対し、給紙トレイパラメータ７２にトレイ１をセットするよう指示する。その後ステップ２０７（図８のＢ）へ移行して、用紙サイズパラメータ７１にＡ４をセットするよう指示し、ステップ２０８で印刷処理を実行するよう指示する。
【００６３】
Ｓ２２４：ステップ２２２においてトレイ１−ＥＸ．ＦＩＮＥ欄の設定値６７がＯＮでなければ、システム制御部２０は許可トレイ判定部２５に対し、トレイ設定部２４の解像度別許可トレイ（再生紙）欄５５のトレイ２−ＥＸ．ＦＩＮＥ欄の設定値７０がＯＮかどうか判定するよう指示する。トレイ２−ＥＸ．ＦＩＮＥ欄の設定値７０がＯＮであれば、ステップ２２５へ進み、トレイ２−ＥＸ．ＦＩＮＥ欄の設定値７０がＯＮでなければ、ステップ２２６へ進む。
【００６４】
Ｓ２２５：トレイ２−ＥＸ．ＦＩＮＥ欄の設定値７０がＯＮであれば（例えばドキュメントＩＤ０３）、システム制御部２０は印刷制御部２７に対し、給紙トレイパラメータ７２にトレイ２をセットするよう指示する。その後ステップ２０７（図８のＢ）へ移行して、用紙サイズパラメータ７１にＡ４をセットするよう指示し、ステップ２０８で印刷処理を実行するよう指示する。こうして、ドキュメントＩＤ０３はトレイ１又はトレイ２の再生紙に印刷されることになる。一方、ドキュメントＩＤ０１及び０２はトレイ１又はトレイ２の再生紙に印刷されないことになる。
【００６５】
Ｓ２２６：ステップ２２１において受信解像度５２がＥＸ．ＦＩＮＥでないとき（例えばドキュメントＩＤ０１、０２）、又はステップ２２４においてトレイ２−ＥＸ．ＦＩＮＥ欄の設定値７０がＯＮでないとき、システム制御部２０は操作パネル制御部２１に対し、操作パネル７へ印刷操作表示２（図１１）を表示するよう指示する。
【００６６】
図１１は第１の実施の形態に関する操作パネル７の印刷操作表示２を示す説明図である。トレイ１及びトレイ２に再生紙が設定されているので、印刷操作表示２は、「トレイ１の用紙が違います」と表示してオペレータに注意を促す。更に、操作パネル７には、「トレイ１に用紙（Ａ４普通紙）をセットしてください」、「取り消す場合は印刷中止を押してください」及び「解像度を上げて印刷する場合は解像度変換印刷を押してください」と表示される。更にまた、印刷再開キー７５、印刷中止キー７６及び解像度変換印刷キー７７が表示される。解像度変換印刷とは、解像度を上げて印刷する場合を意味する。例えばドキュメントＩＤ０１は受信解像度ＳＴＤであり、ドキュメントＩＤ０２は受信解像度ＦＩＮＥであるとき、ステップ２２６において、オペレータが印刷操作表示２の解像度変換印刷キー７７を押下すると、システム制御部２０は次に示す解像度変換処理を行う。
【００６７】
図１２は第１の実施の形態に関するパネル操作処理のフローチャートである。
Ｓ３０１：オペレータにより操作パネル７における印刷操作表示２の解像度変換印刷キー７７が押下されると、システム制御部２０は解像度変換部２９に対して、解像度変換処理を行うよう指示する。解像度変換処理は、データ受信部２２で格納したドキュメントについて、ファクシミリ画像データの１ライン毎に、同じラインを追加することで受信解像度を向上させることにより行う。
【００６８】
Ｓ３０２：解像度変換処理が行われた後、システム制御部２０は印刷制御部２７に対し、印刷装置６を制御して印刷処理を実行するよう指示する。
Ｓ３０３：オペレータにより操作パネル７における印刷操作表示２の印刷中止キー７６が押下されると、システム制御部２０はジョブをキャンセルする。
【００６９】
Ｓ３０４：トレイに用紙補給後、オペレータにより操作パネル７における印刷操作表示２の印刷再開キー７５が押下されると、システム制御部２０は印刷再開を行う。詳細は省略する。
【００７０】
以上のように、第１の実施の形態によれば、受信したファクシミリ画像データの受信解像度が低いファクシミリ画像データ（ＳＴＤ又はＦＩＮＥ）の場合には、再生紙のような印刷品質の低い印刷媒体には印刷しないようにしたので、印刷画が判読できないような印刷を実行しないことが可能となる。
【００７１】
また、第１の実施の形態によれば、解像度記憶部２３に記憶する受信解像度５２に対応した印刷媒体の種類がトレイ部１１に収容されていない場合に、操作パネル７に印刷媒体を変更させる操作のガイドを表示するようにしたので、受信したファクシミリ画像データが全く印刷されないという事態を防ぐことができる。
【００７２】
また、受信したファクシミリ画像データの受信解像度が低いファクシミリ画像データを再生紙で印刷するときは、オペレータが解像度変換印刷キー７７を押下することにより、解像度変換処理を行う。これにより、受信解像度が低いファクシミリ画像データの受信解像度を向上して印刷するようにしたので、印刷画を判読できるケースが向上する。
【００７３】
（第２の実施の形態）
次に、本発明の第２の実施の形態について説明する。ここでは第１の実施の形態との相違点のみ説明する。図１３は第２の実施の形態に関するＣＰＵ１の構成図である。前記第１の実施の形態と異なるところは、エッジ強調部３０を有する点である。エッジ強調部３０は、データ受信部２２で格納したドキュメントについて、エッジ強調処理を行う。エッジ強調処理は、ファクシミリ画像データの画像の輪郭部の濃度勾配を急峻にし、画像をシャープにするためである。
【００７４】
図１４は第２の実施の形態に関する印刷制御処理のフローチャートである。前記第１の実施の形態と異なる点は、ステップ２２６の替わりにステップ４２６を有することである。Ｓ４２６：ステップ２２１において受信解像度５２がＥＸ．ＦＩＮＥでないとき（例えばドキュメントＩＤ０１、０２）、又はステップ２２４においてトレイ２−ＥＸ．ＦＩＮＥ欄の設定値７０がＯＮでないとき、システム制御部２０は操作パネル制御部２１に対し、操作パネル７へ印刷操作表示３（図１５）を表示するよう指示する。
【００７５】
図１５は第２の実施の形態に関する操作パネル７の印刷操作表示３を示す説明図である。トレイ１及びトレイ２に再生紙が設定されているので、印刷操作表示２は、「トレイ１の用紙が違います」と表示してオペレータに注意を促す。更に、操作パネル７には、「トレイ１に用紙（Ａ４普通紙）をセットしてください」、「取り消す場合は印刷中止を押してください」、「解像度を上げて印刷する場合は解像度変換印刷を押してください」及び「エッジ強調印刷する場合はエッジ強調印刷を押してください」と表示される。更にまた、印刷再開キー７５、印刷中止キー７６、解像度変換印刷キー７７及びエッジ強調印刷キー８５が表示される。
【００７６】
エッジ強調印刷キー８５を押下することにより、エッジ強調処理が行われる。エッジ強調処理はファクシミリ画像データの画像の輪郭部の濃度勾配を急峻にし、画像をシャープにする。例えばドキュメントＩＤ０１は受信解像度ＳＴＤであり、ドキュメントＩＤ０２は受信解像度ＦＩＮＥであるとき、ステップ４２６において、オペレータが印刷操作表示３のエッジ強調印刷キー８５を押下すると、システム制御部２０は次に示すエッジ強調処理を行う。
【００７７】
図１６は第２の実施の形態に関するパネル操作処理のフローチャートである。ステップ３０１乃至ステップ３０４は第１の実施の形態の図１２と同じであるので説明を省略する。
【００７８】
Ｓ４０１：オペレータにより操作パネル７における印刷操作表示３のエッジ強調印刷キー８５が押下されると、システム制御部２０はエッジ強調部３０に対して、エッジ強調処理を行うよう指示する。エッジ強調処理は、データ受信部２２で格納したドキュメントについて、ファクシミリ画像データの画像の輪郭部の濃度勾配を急峻にし、画像をシャープにする。その後、ステップ３０２へ移行し、システム制御部２０は印刷制御部２７に対し、印刷装置６を制御して印刷処理を実行するよう指示する。
【００７９】
以上のように第２の実施の形態によれば、エッジ強調処理をすることで解像度変換処理よりも画像処理が早い効果がある。第１及び第２の実施の形態では、ファクシミリに適用した例を説明したが、同様の機能を有するＭＦＰ装置にも適用可能である。
【符号の説明】
【００８０】
１        ＣＰＵ
２０      システム制御部
２１      操作パネル制御部
２２      データ受信部
２３      解像度記憶部
２４      トレイ設定部
２５      許可トレイ判定部
２６      用紙種類判定部
２７      印刷制御部
２８      解像度判定部
２９      解像度変換部
３０      エッジ強調部
【図１】
2012199842.tif 000003
【図２】
2012199842.tif 000004
【図３】
2012199842.tif 000005
【図４】
2012199842.tif 000006
【図５】
2012199842.tif 000007
【図６】
2012199842.tif 000008
【図７】
2012199842.tif 000009
【図８】
2012199842.tif 000010
【図９】
2012199842.tif 000011
【図１０】
2012199842.tif 000012
【図１１】
2012199842.tif 000013
【図１２】
2012199842.tif 000014
【図１３】
2012199842.tif 000015
【図１４】
2012199842.tif 000016
【図１５】
2012199842.tif 000017
【図１６】
2012199842.tif 000018